(57)【要約】【課題】  感度校正部が感度を校正するための作業を実行している間には、現時点から作業を終了するまでに必要とする残り時間を表示することができる電子天秤の提供。【解決手段】  荷重検出部１０で検出された重量と、荷重検出部１０の感度を校正するための感度校正値とを用いて、表示部６０に計量値を表示する重量表示制御部５１と、内蔵分銅１１を用いることにより、感度校正値を算出して更新する感度校正部５３とを備える電子天秤１であって、感度校正部５３が感度を校正するのに必要とする所要時間を記憶する記憶部４０を備え、感度校正部５３は、感度を校正することを開始する際には、表示部６０に所要時間を表示し、感度を校正している間には、現時点から感度を校正することを終了するまでに必要となる残り時間を表示していく。【選択図】図１
2010145108.tif 000002
【特許請求の範囲】
【請求項１】
計量皿の上面に被計量物が載置されることにより、当該被計量物の重量を検出する荷重検出部と、
前記荷重検出部で検出された重量と、前記荷重検出部の感度を校正するための感度校正値とを用いて、表示部に計量値を表示する重量表示制御部と、
重量が既知である内蔵分銅と、
前記内蔵分銅を用いることにより、前記感度校正値を算出して更新する感度校正部とを備える電子天秤であって、
前記感度校正部が感度を校正するのに必要とする所要時間を記憶する記憶部を備え、
前記感度校正部は、感度を校正することを開始する際には、前記表示部に所要時間を表示し、感度を校正している間には、表示した所要時間を減じていくことにより、現時点から感度を校正することを終了するまでに必要となる残り時間を表示していくことを特徴とする電子天秤。
【請求項２】
入力装置と、
温度を検出する温度検出部とを備え、
前記記憶部は、感度を校正することを開始するための設定時間と設定温度とを記憶し、
前記感度校正部は、前記入力装置からの操作信号を受信したとき、前記感度校正値を更新したときの時間から設定時間が経過したとき、又は、前記感度校正値を更新したときの温度から設定温度以上に変化したときに、感度を校正することを開始することを特徴とする請求項１に記載の電子天秤。
【請求項３】
計量皿の上面に被計量物が載置されることにより、当該被計量物の重量を検出する荷重検出部と、
前記荷重検出部で検出された重量と、前記荷重検出部の感度を校正するための感度校正値とを用いて、表示部に計量値を表示する重量表示制御部と、
重量が既知である外部分銅が用いられることにより、前記感度校正値を算出して更新する感度校正部とを備える電子天秤であって、
前記外部分銅が負荷されたときに荷重検出部で検出された第一重量である感度校正値を取得するのに必要とする第一所要時間と、何も負荷されていないときに荷重検出部で検出された第二重量である感度校正値を取得するのに必要とする第二所要時間とを記憶する記憶部を備え、
前記感度校正部は、前記第一重量を取得することを開始する際には、前記表示部に第一所要時間を表示し、前記第一重量を取得している間には、表示した第一所要時間を減じていくことにより、現時点から第一重量を取得することを終了するまでに必要となる残り時間を表示していくとともに、
前記第二重量を取得することを開始する際には、前記表示部に第二所要時間を表示し、前記第二重量を取得している間には、表示した第二所要時間を減じていくことにより、現時点から第二重量を取得することを終了するまでに必要となる残り時間を表示していくことを特徴とする電子天秤。
【請求項４】
入力装置を備え、
前記感度校正部は、前記入力装置からの操作信号を受信したときに、前記第一重量を取得すること、又は、前記第二重量を取得することを開始することを特徴とする請求項３に記載の電子天秤。
【発明の詳細な説明】
【技術分野】
【０００１】
本発明は、電子天秤に関し、さらに詳細には感度を校正する感度校正機能を有する電子天秤に関する。
【背景技術】
【０００２】
電子天秤は、店頭等でのはかり売り品の計量器として用いられたり、研究室等での精密計量器として用いられたりしている。このような電子天秤は、計量皿の上面に被計量物が載置されることにより、荷重検出部で被計量物の重量を検出して、荷重検出部で検出された重量と、荷重検出部の感度を校正するための感度校正値とを用いて、表示部に計量値を表示している。
【０００３】
ところで、電子天秤において、荷重検出部の感度の精度は、最も重要な管理項目の一つである。そのため、電子天秤は、感度校正値を算出して更新する（以下、「感度校正作業を実行する」ともいう）感度校正部を備える。これにより、使用者は、感度校正値を更新してから長時間（例えば、３．５時間）が経過したとき等に、重量が既知である内蔵分銅や外部分銅を荷重検出部に負荷すること等で、感度校正部に感度校正値を算出させて更新させている。
また、感度校正値を更新してから設定時間（例えば、３．５時間）が経過したときや、感度校正値を更新したときの温度から設定温度（例えば、０．５℃）以上に変化したときに、感度校正部が自動的に内蔵分銅を荷重検出部に負荷すること等で、感度校正値を算出して更新する自動感度校正機能を有する電子天秤もある（例えば、特許文献１参照）。
【特許文献１】特開平３−２５１７２６号公報
【発明の開示】
【発明が解決しようとする課題】
【０００４】
ところで、上述したような自動感度校正機能を有する電子天秤では、被計量物を計量する測定中或いは測定開始直前に、感度校正値を更新してから設定時間が経過したため、感度校正部が自動的に感度校正作業を実行しようとすることがあり、感度校正作業を実行することが始まると、使用者は、感度校正部が感度校正作業を終了するまで待つことになった。
しかしながら、使用者は、いつ感度校正部が感度校正作業を終了するのかわからないので、非常にイライラ感を感じたり、また、感度校正部が感度校正作業を正常に実行しているのかわからないので、非常に不安を感じたりしながら、感度校正部が感度校正作業を終了するまで待つことがあった。
【０００５】
また、自動感度校正機能を有さない電子天秤でも、使用者は、計量皿の上面に被計量物がないことを確認して、キー操作を実行することで、感度校正部が第二重量（感度校正値）を取得する処理（以下、「第二重量取得作業」ともいう）を実行する必要があり、第二重量取得作業を実行することが始まると、感度校正部が第二重量取得作業を終了するまで待つことになった。さらに、計量皿の上面に外部分銅を載置することで、感度校正部が第一重量（感度校正値）を取得する処理（以下、「第一重量取得作業」ともいう）を実行する必要があり、第一重量取得作業を実行することが始まると、感度校正部が第一重量取得作業を終了するまで待つことになった。このときにも、使用者は、いつ感度校正部が第一重量取得作業や第二重量取得作業を終了するのかわからないので、非常にイライラ感を感じたり、また、感度校正部が第一重量取得作業や第二重量取得作業を正常に実行しているのかわからないので、非常に不安を感じたりしながら、感度校正部が感度校正作業を終了するまで待つことがあった。
そこで、本発明は、感度校正部が感度を校正するための作業を実行している間には、現時点から作業を終了するまでに必要とする残り時間を表示することができる電子天秤を提供することを目的とする。
【課題を解決するための手段】
【０００６】
上記課題を解決するためになされた本発明の電子天秤は、計量皿の上面に被計量物が載置されることにより、当該被計量物の重量を検出する荷重検出部と、前記荷重検出部で検出された重量と、前記荷重検出部の感度を校正するための感度校正値とを用いて、表示部に計量値を表示する重量表示制御部と、重量が既知である内蔵分銅と、前記内蔵分銅を用いることにより、前記感度校正値を算出して更新する感度校正部とを備える電子天秤であって、前記感度校正部が感度を校正するのに必要とする所要時間を記憶する記憶部を備え、前記感度校正部は、感度を校正することを開始する際には、前記表示部に所要時間を表示し、感度を校正している間には、表示した所要時間を減じていくことにより、現時点から感度を校正することを終了するまでに必要となる残り時間を表示していくようにしている。
【０００７】
本発明の電子天秤によれば、記憶部は、感度校正部が感度を校正するのに必要とする所要時間を記憶する。これにより、感度校正部は、感度を校正することを開始する際には、表示部に所要時間を表示する。そして、感度校正部は、感度を校正している間には、所要時間を減じていくことにより、残り時間を表示していく。
【発明の効果】
【０００８】
以上のように、本発明の電子天秤によれば、感度校正部が感度を校正するための作業を実行している間には、残り時間を表示しているので、使用者は、イライラ感を感じたり、感度校正部が作業を正常に実行しているか不安を感じたりすることがなくなる。
【０００９】
（他の課題を解決するための手段および効果）
上記発明において、入力装置と、温度を検出する温度検出部とを備え、前記記憶部は、感度を校正することを開始するための設定時間と設定温度とを記憶し、前記感度校正部は、前記入力装置からの操作信号を受信したとき、前記感度校正値を更新したときの時間から設定時間が経過したとき、又は、前記感度校正値を更新したときの温度から設定温度以上に変化したときに、感度を校正することを開始するようにしてもよい。
【００１０】
上記課題を解決するためになされた本発明の電子天秤は、計量皿の上面に被計量物が載置されることにより、当該被計量物の重量を検出する荷重検出部と、前記荷重検出部で検出された重量と、前記荷重検出部の感度を校正するための感度校正値とを用いて、表示部に計量値を表示する重量表示制御部と、重量が既知である外部分銅が用いられることにより、前記感度校正値を算出して更新する感度校正部とを備える電子天秤であって、前記外部分銅が負荷されたときに荷重検出部で検出された第一重量である感度校正値を取得するのに必要とする第一所要時間と、何も負荷されていないときに荷重検出部で検出された第二重量である感度校正値を取得するのに必要とする第二所要時間とを記憶する記憶部を備え、前記感度校正部は、前記第一重量を取得することを開始する際には、前記表示部に第一所要時間を表示し、前記第一重量を取得している間には、表示した第一所要時間を減じていくことにより、現時点から第一重量を取得することを終了するまでに必要となる残り時間を表示していくとともに、前記第二重量を取得することを開始する際には、前記表示部に第二所要時間を表示し、前記第二重量を取得している間には、表示した第二所要時間を減じていくことにより、現時点から第二重量を取得することを終了するまでに必要となる残り時間を表示していくようにしている。
以上のように、本発明の電子天秤によれば、感度校正部が感度を校正するための作業を実行している間には、残り時間を表示しているので、使用者は、イライラ感を感じたり、感度校正部が作業を正常に実行しているか不安を感じたりすることがなくなる。
【００１１】
上記発明において、入力装置を備え、前記感度校正部は、前記入力装置からの操作信号を受信したときに、前記第一重量を取得すること、又は、前記第二重量を取得することを開始するようにしてもよい。
【発明を実施するための最良の形態】
【００１２】
以下、本発明の実施形態について図面を用いて説明する。なお、本発明は、以下に説明するような実施形態に限定されるものではなく、本発明の趣旨を逸脱しない範囲で種々の態様が含まれる。
【００１３】
＜第一の実施形態＞
図１は、第一の実施形態に係る電子天秤の構成を示すブロック図である。また、図２は、第一の実施形態に係る電子天秤における液晶表示画面の一例を示す図である。
電子天秤１は、被計量物の重量ｗを検出する荷重検出部１０と、温度ｓを検出する温度検出部１５と、信号処理器３０と、不揮発性メモリ（記憶部）４０と、マイクロコンピュータ５０と、液晶表示画面（表示部）６０と、操作キー（入力装置）７０と、重量Ｗ１（例えば、２００ｇ）が既知である内蔵分銅１１と、分銅加除機構１２とを備える。
【００１４】
荷重検出部１０は、その計量皿の上面に載置された被計量物の重量ｗをロードセル（図示せず）によって検出し、Ａ／Ｄ変換器３０ａにアナログ信号を所定の時間間隔（例えば、数ミリ秒間隔）で順次出力する。
温度検出部１５は、温度ｓを温度センサ（図示せず）によって検出し、Ａ／Ｄ変換器３０ｂにアナログ信号を所定の時間間隔（例えば、数ミリ秒間隔）で順次出力する。
信号処理器３０は、荷重検出部１０から検出されたアナログ信号をデジタル信号（荷重データ）に変換するＡ／Ｄ変換器３０ａと、温度検出部１５から検出されたアナログ信号をデジタル信号（温度データ）に変換するＡ／Ｄ変換器３０ｂとを備える。
分銅加除機構１２は、マイクロコンピュータ５０の感度校正部５３からの制御信号に基づいて、内蔵分銅１１を荷重検出部１０に負荷させたり、荷重検出部１０から離脱させたりすることができるようになっている。
【００１５】
マイクロコンピュータ５０が処理する機能をブロック化して説明すると、重量（荷重データ）ｗが入力されて計量値ｗ’を表示する重量表示制御部５１と、温度（温度データ）ｓが入力される温度取得制御部５２と、第一重量（感度校正値）ｗ１と第二重量（感度校正値）ｗ２とを更新するとともに残り時間Ｔ−ｔを表示する感度校正部５３とを有する。
不揮発性メモリ４０は、第一重量ｗ１と第二重量ｗ２とを記憶する感度校正値記憶領域４１と、内蔵分銅１１の重量Ｗ１（例えば、２００ｇ）を予め記憶する内蔵分銅重量記憶領域４２と、感度校正部５３が感度を校正するのに必要とする所要時間Ｔ（例えば、１２０秒）を予め記憶する所要時間記憶領域４３と、設定時間ΔＴ（例えば、３．５時間）と設定温度ΔＳ（例えば、０．５℃）とを予め記憶するとともに第一重量ｗ１及び第二重量ｗ２を更新したときの時間ｔｎ及び温度ｓｎとを記憶する感度校正条件記憶領域４４とを有する。
所要時間Ｔは、感度校正部５３が感度校正作業を実行したことを開始してから終了するのに必要である時間であり、予め測定されており、例えば、１２０秒となっている。
【００１６】
重量表示制御部５１は、荷重検出部１０により被計量物の重量が検出され、Ａ／Ｄ変換器３０ａによりデジタル信号に変換された重量ｗを所定の時間間隔で順次取得していき、下記式（１）に示すように、感度校正値記憶領域４１に記憶された第一重量ｗ１と第二重量ｗ２とを用いて、液晶表示画面６０に計量値「ｗ’」を表示していく制御を行う。
ｗ’＝Ｗ１×（ｗ−ｗ１）／（ｗ２−ｗ１）・・・（１）
温度取得制御部５２は、温度検出部１５により温度ｓが検出され、Ａ／Ｄ変換器３０ｂによりデジタル信号に変換された温度ｓを所定の時間間隔で順次取得していく制御を行う。
【００１７】
感度校正部５３は、内蔵分銅１１を用いることにより、荷重検出部１０の感度を校正するための第一重量ｗ１と第二重量ｗ２とを算出して更新するとともに、感度を校正することを開始する際には、液晶表示画面６０に所要時間「Ｔ」を表示し、感度を校正している間には、所要時間Ｔを減じていくことにより、現時点から感度を校正することを終了するまでに必要となる残り時間「Ｔ―ｔ」を表示する制御を行う。
例えば、操作キー７０からの感度校正作業を実行する操作信号を受信したときや、第一重量ｗ１と第二重量ｗ２とを更新したときの時間ｔｎから設定時間ΔＴが経過したときや、第一重量ｗ１と第二重量ｗ２とを更新したときの温度ｓｎから設定温度ΔＳ以上に変化したときに、まず、液晶表示画面６０に、感度校正作業を実行することを示す「ＣＡＬ」と所要時間「Ｔ（例えば、１２０秒）」とを表示する（図２（ａ）参照）。
【００１８】
次に、分銅加除機構１２に制御信号を送信することにより、内蔵分銅１１を荷重検出部１０に負荷させる。そして、重量表示制御部５１から第一重量ｗ１を取得して感度校正値記憶領域４１に更新するように記憶させる。この際、所要時間Ｔを１秒おきに減じていくことにより、残り時間「Ｔ―１（例えば、１１９秒）」→「Ｔ−２（例えば、１１８秒）」→・・・を表示していく（図２（ｂ）、（ｃ）参照）。
次に、分銅加除機構１２に制御信号を送信することにより、内蔵分銅１１を荷重検出部１０から離脱させる。そして、重量表示制御部５１から第二重量ｗ２を取得して感度校正値記憶領域４１に更新するように記憶させる。この際、所要時間Ｔを１秒おきに減じていくことにより、残り時間「Ｔ―３０（例えば、９０秒）」→「Ｔ−３１（例えば、８９秒）」→・・・を表示していく（図２（ｄ）参照）。
その後、感度校正部５３が感度校正作業を実行することを丁度終了したときには、残り時間「０秒（＝Ｔ―Ｔ）」を表示するようになっている（図２（ｅ）参照）。
これにより、感度校正部５３が感度を校正するための作業を実行している間には、残り時間「Ｔ―ｔ」を表示しているので、使用者は、イライラ感を感じたり、感度校正部５３が作業を正常に実行しているか不安を感じたりすることがなくなる。
【００１９】
＜第二の実施形態＞
図３は、第二の実施形態に係る電子天秤の構成を示すブロック図である。また、図４は、第二の実施形態に係る電子天秤における液晶表示画面の一例を示す図である。
電子天秤１０１は、被計量物の重量ｗを検出する荷重検出部１０と、温度ｓを検出する温度検出部１５と、信号処理器３０と、不揮発性メモリ（記憶部）４０と、マイクロコンピュータ５０と、液晶表示画面（表示部）６０と、操作キー（入力装置）７０と、重量Ｗ１（例えば、２００ｇ）が既知である外部分銅１１１とを備える。すなわち、電子天秤１０１は、電子天秤１のように内蔵分銅１１と分銅加除機構１２とを備えず、外部分銅１１１を備える。なお、電子天秤１と同様のものについては、同じ符号を付している。
【００２０】
マイクロコンピュータ５０が処理する機能をブロック化して説明すると、重量（荷重データ）ｗが入力されて計量値「ｗ’」を表示する重量表示制御部５１と、第一重量（感度校正値）ｗ１と第二重量（感度校正値）ｗ２とを更新するとともに残り時間Ｔ−ｔを表示する感度校正部１５３とを有する。
不揮発性メモリ４０は、第一重量ｗ１と第二重量ｗ２とを記憶する感度校正値記憶領域４１と、外部分銅１１の重量Ｗ１（例えば、２００ｇ）を予め記憶する外部分銅重量記憶領域１４２と、第一所要時間Ｔ１（例えば、２５秒）と第二所要時間Ｔ２（例えば、２５秒）と第三所要時間Ｔ３（例えば、２５秒）と第四所要時間Ｔ４（例えば、１０秒）とを予め記憶する所要時間記憶領域１４３とを有する。
【００２１】
第一所要時間Ｔ１は、感度校正部１５３が第一重量ｗ１を取得するのに必要とする時間と、使用者が荷重検出部１０の計量皿の上面に外部分銅１１１を載置するために必要であろう時間との合計時間であり、予め測定されており、例えば、２５秒となっている。
第二所要時間Ｔ２は、感度校正部１５３が第二重量ｗ２を取得するのに必要とする時間と、使用者が荷重検出部１０の計量皿の上面に何もないことを確認するために必要であろう時間との合計時間であり、予め測定されており、例えば、２５秒となっている。
第三所要時間Ｔ３は、使用者が荷重検出部１０の計量皿の上面から外部分銅１１１を除外するために必要であろう時間であり、予め測定されており、例えば、２５秒となっている。
第四所要時間Ｔ４は、感度校正作業を実行したことを終了したことを示す「ＣＡＬ  Ｅｎｄ」と表示することにより、使用者が「ＣＡＬ  Ｅｎｄ」を確認するために必要であろう時間であり、予め測定されており、例えば、１０秒となっている。
【００２２】
感度校正部１５３は、外部分銅１１１が用いられることにより、荷重検出部１０の感度を校正するための第一重量ｗ１と第二重量ｗ２とを算出して更新するとともに、第一重量ｗ１を取得することを開始する際には、液晶表示画面６０に第一所要時間「Ｔ１」を表示し、第一重量ｗ１を取得している間には、第一所要時間Ｔ１を減じていくことにより、残り時間「Ｔ１−ｔ」を表示していくとともに、第二重量ｗ２を取得することを開始する際には、液晶表示画面６０に第二所要時間「Ｔ２」を表示し、第二重量ｗ２を取得している間には、第二所要時間Ｔ２を減じていくことにより、残り時間「Ｔ２−ｔ」を表示していく制御を行う。
例えば、操作キー７０からの感度校正作業を実行する操作信号を受信したときに、まず、液晶表示画面６０に、第二重量取得作業を実行することを示す「０.００００ｇ」を点滅表示するとともに、第二所要時間「Ｔ２（例えば、２５秒）」を表示する（図４（ａ）参照）。そして、使用者に荷重検出部１０の計量皿の上面に何もないことを確認させた上で、重量表示制御部５１から第二重量ｗ２を取得して感度校正値記憶領域４１に更新するように記憶させる。この際、第二所要時間Ｔ２を１秒おきに減じていくことにより、残り時間「Ｔ２―１（例えば、２４秒）」→「Ｔ２−２（例えば、２３秒）」→・・・を表示する（図４（ｂ）参照）。その後、感度校正部１５３が第二重量取得作業を実行することを丁度終了したときには、残り時間「０秒（＝Ｔ２―Ｔ２）」を表示するようになっている（図４（ｃ）参照）。
これにより、感度校正部１５３が感度を校正するための作業を実行している間には、残り時間「Ｔ２―ｔ」を表示しているので、使用者は、イライラ感を感じたり、感度校正部１５３が作業を正常に実行しているか不安を感じたりすることがなくなる。
【００２３】
残り時間「０秒（＝Ｔ２―Ｔ２）」を表示すると、次に、液晶表示画面６０に、第一重量取得作業を実行することを示す「２００.００００ｇ」を点滅表示するとともに、第一所要時間「Ｔ１（例えば、２５秒）」を表示する（図４（ｄ）参照）。そして、使用者に荷重検出部１０の計量皿の上面に外部分銅１１１を載置させた上で、重量表示制御部５１から第一重量ｗ１を取得して感度校正値記憶領域４１に更新するように記憶させる。この際、第一所要時間Ｔ１を１秒おきに減じていくことにより、残り時間「Ｔ１―１（例えば、２４秒）」→「Ｔ１−２（例えば、２３秒）」→・・・を表示する（図４（ｅ）参照）。その後、感度校正部１５３が第一重量取得作業を実行することを丁度終了したときには、残り時間「０秒（＝Ｔ１―Ｔ１）」を表示するようになっている（図４（ｆ）参照）。
これにより、感度校正部１５３が感度を校正するための作業を実行している間には、残り時間「Ｔ１―ｔ」を表示しているので、使用者は、イライラ感を感じたり、感度校正部１５３が作業を正常に実行しているか不安を感じたりすることがなくなる。
【００２４】
残り時間「０秒（＝Ｔ１―Ｔ１）」を表示すると、次に、液晶表示画面６０に、「０.００００ｇ」を点滅表示するとともに、第三所要時間「Ｔ３（例えば、２５秒）」を表示する（図４（ｇ）参照）。そして、使用者に荷重検出部１０の計量皿の上面から外部分銅１１１を除外させる。この際、第三所要時間Ｔ３を１秒おきに減じていくことにより、残り時間「Ｔ３―１（例えば、２４秒）」→「Ｔ３−２（例えば、２３秒）」→・・・を表示する（図４（ｈ）参照）。その後、残り時間「０秒（＝Ｔ３―Ｔ３）」を表示するようになっている（図４（ｉ）参照）。
これにより、感度校正部１５３が感度を校正するための作業を実行している間には、残り時間「Ｔ３―ｔ」を表示しているので、使用者は、イライラ感を感じたり、感度校正部１５３が作業を正常に実行しているか不安を感じたりすることがなくなる。
【００２５】
残り時間「０秒（＝Ｔ３―Ｔ３）」を表示すると、次に、液晶表示画面６０に、感度校正作業を実行することを終了したことを示す「ＣＡＬ  Ｅｎｄ」を表示するとともに、第四所要時間「Ｔ４（例えば、１０秒）」を表示する（図４（ｊ）参照）。そして、使用者に感度校正作業を実行したことを終了したことを確認させる。この際、第四所要時間Ｔ４を１秒おきに減じていくことにより、残り時間「Ｔ４―１（例えば、９秒）」→「Ｔ４−２（例えば、８秒）」→・・・を表示する（図４（ｋ）参照）。その後、残り時間「０秒（＝Ｔ４―Ｔ４）」を表示するようになっている（図４（ｌ）参照）。
これにより、感度校正部１５３が感度を校正するための作業を実行している間には、残り時間「Ｔ４―ｔ」を表示しているので、使用者は、イライラ感を感じたり、感度校正部１５３が作業を正常に実行しているか不安を感じたりすることがなくなる。
【００２６】
（他の実施形態）
上述した電子天秤１では、所要時間Ｔを１秒おきに減じていくことにより、残り時間「Ｔ―ｔ」を表示する構成を示したが、所要時間Ｔを２秒や３秒おきに減じていくことにより、残り時間「Ｔ―ｔ」を表示するような構成としてもよい。また、残り時間「Ｔ―ｔ」として数値を表示する構成を示したが、残り時間として棒グラフや円グラフ等を表示するような構成としてもよい。
【産業上の利用可能性】
【００２７】
本発明は、感度を校正する感度校正機能を有する電子天秤等に好適に利用できる。
【図面の簡単な説明】
【００２８】
【図１】第一の実施形態に係る電子天秤の構成を示すブロック図である。
【図２】第一の実施形態に係る電子天秤における液晶表示画面の一例を示す図である。
【図３】第二の実施形態に係る電子天秤の構成を示すブロック図である。
【図４】第二の実施形態に係る電子天秤における液晶表示画面の一例を示す図である。
【符号の説明】
【００２９】
１、１０１    電子天秤
１０  荷重検出部
１１  内蔵分銅
４０  不揮発性メモリ（記憶部）
５１  重量表示制御部
５３、１５３  感度校正部
６０  液晶表示画面（表示部）
１１１  外部分銅
【図１】
2010145108.tif 000003
【図２】
2010145108.tif 000004
【図３】
2010145108.tif 000005
【図４】
2010145108.tif 000006